(57)【要約】【課題】異方性導電材料のはみ出した部分でリーク電流が発生することの防止を目的とする。【解決手段】配線パターン４４は、均等な幅及び均等な間隔で、重複領域４０の範囲内に配列されて、それぞれがいずれかの有効端子３２と対向して導電粒子３８によって電気的に接続する複数の端子部５２と、隣同士の一対の端子部５２からなる少なくとも１組の端子部５２を除いて、その他の端子部５２に接続して重複領域４０から引出領域４２に引き出される引出部５４と、引出部５４が接続されないそれぞれの端子部５２を、その隣にあって引出部５４が接続される端子部５２に、重複領域４０の範囲内で接続する接続部５６と、を含む。引出部５４が接続されない一対の端子部５２を挟む位置にある一対の端子部５２から引き出される一対の引出部５４の間隔は、その他の隣同士の引出部５４の間隔よりも広くなっている。【選択図】図６
2015075559.tif 000002
【特許請求の範囲】
【請求項１】
入出力のための複数の有効端子を有する電子部品と、
前記電子部品に接合されて引き出されるフレキシブル配線基板と、
接着剤に導電粒子が分散されてなり、前記電子部品と前記フレキシブル配線基板を接合する異方性導電材料と、
を有し、
前記フレキシブル配線基板は、前記電子部品と重なる重複領域と、前記電子部品からはみ出して引き出される引出領域と、を含み、前記重複領域から前記引出領域に形成された配線パターンを有し、
前記配線パターンは、
均等な幅及び均等な間隔で、前記重複領域の範囲内に配列されて、それぞれがいずれかの前記有効端子と対向して前記導電粒子によって電気的に接続する複数の端子部と、
隣同士の一対の前記端子部からなる少なくとも１組の前記端子部を除いて、その他の前記端子部に接続して前記重複領域から前記引出領域に引き出される引出部と、
前記引出部が接続されないそれぞれの前記端子部を、その隣にあって前記引出部が接続される前記端子部に、前記重複領域の範囲内で接続する接続部と、
を含み、
隣同士の２つ以上の前記引出部からなる少なくとも１組の前記引出部は、前記引出領域で１つの配線に合流するように形成され、
前記引出部が接続されない一対の前記端子部を挟む位置にある一対の前記端子部から引き出される一対の前記引出部の間隔は、その他の隣同士の前記引出部の間隔よりも広くなっており、
前記異方性導電材料の一部は、前記電子部品と前記フレキシブル配線基板の間からはみ出して前記引出領域で前記配線パターンに載ることを特徴とする電子装置。
【請求項２】
請求項１に記載された電子装置において、
前記引出部が接続されない隣同士の一対の前記端子部は、それぞれ、前記複数の有効端子のなかで最も電位差の大きい隣同士の前記有効端子に対向して電気的に接続することを特徴とする電子装置。
【請求項３】
請求項１又は２に記載された電子装置において、
隣同士に位置して前記接続部で電気的に接続された、前記引出部が接続されない１つの前記端子部及び前記引出部が接続される１つの前記端子部は、同じ１つの前記有効端子に電気的に接続することを特徴とする電子装置。
【請求項４】
請求項３に記載された電子装置において、
前記接続部は、該接続部によって接続される隣同士の前記端子部が電気的に接続する前記同じ１つの前記有効端子の領域内に配置されていることを特徴とする電子装置。
【請求項５】
入出力のための複数の有効端子と、一対の前記有効端子の間に配置された前記入出力に使用しないダミー端子と、を有する電子部品と、
前記電子部品に接合されて引き出されるフレキシブル配線基板と、
接着剤に導電粒子が分散されてなり、前記電子部品と前記フレキシブル配線基板を接合する異方性導電材料と、
を有し、
前記フレキシブル配線基板は、前記電子部品と重なる重複領域と、前記電子部品からはみ出して引き出される引出領域と、を含み、前記重複領域から前記引出領域に形成された配線パターンを有し、
前記配線パターンは、均等な幅及び均等な間隔で、前記重複領域の範囲内に配列されて、それぞれがいずれかの前記有効端子又は前記ダミー端子と対向して前記導電粒子によって電気的に接続する複数の端子部を含み、
前記ダミー端子を挟む前記一対の前記有効端子は、隣同士の前記複数の有効端子のなかで最も電位差が大きく、
前記異方性導電材料の一部は、前記電子部品と前記フレキシブル配線基板の間からはみ出して前記引出領域で前記配線パターンに載ることを特徴とする電子装置。
【請求項６】
請求項５に記載された電子装置において、
前記配線パターンは、前記複数の端子部それぞれに接続して前記重複領域から前記引出領域に引き出される引出部を含むことを特徴とする電子装置。
【請求項７】
請求項５に記載された電子装置において、
前記配線パターンは、少なくとも前記ダミー端子に電気的に接続する前記端子部を除いて、その他の前記端子部に接続して前記重複領域から前記引出領域に引き出される引出部を含むことを特徴とする電子装置。
【請求項８】
請求項６又は７に記載された電子装置において、
いずれかの前記有効端子に電気的に接続した隣同士の２つ以上の前記引出部からなる少なくとも１組の前記引出部は、前記引出領域で１つの配線に合流するように形成されていることを特徴とする電子装置。
【請求項９】
請求項１から８のいずれか１項に記載された電子装置において、
前記フレキシブル配線基板は、前記引出領域で前記配線パターンを覆う被覆層を有し、
前記被覆層は、前記重複領域に隣接する領域で前記配線パターンの一部が露出するように形成され、
前記異方性導電材料の前記一部は、前記引出領域で、前記配線パターンの前記被覆層から露出した前記部分に載ることを特徴とする電子装置。
【請求項１０】
請求項１から９のいずれか１項に記載された電子装置において、
前記電子部品は、表示パネルであることを特徴とする電子装置。
【発明の詳細な説明】
【技術分野】
【０００１】
本発明は、電子装置に関する。
【背景技術】
【０００２】
電子部品の外部との電気的接続にフレキシブル配線基板が使用されている。また、フレキシブル配線基板の接合に異方性導電材料を使用することも知られている。異方性導電材料は、導電粒子を分散した接着剤からなり、電子部品の端子とフレキシブル配線基板の端子との間に導電粒子が介在して電気的接続が行われる。また、接着剤によって電子部品とフレキシブル配線基板が機械的に固定される。
【０００３】
異方性導電材料は、その分量を正確に制御することは難しいので、電子部品からはみ出すことが多い。その場合、異方性導電材料のはみ出した部分において、フレキシブル配線基板の隣同士の配線間で電流がリークすることを発明者は見出した。リーク電流は、特に、電位差の大きい配線間で測定された。
【先行技術文献】
【特許文献】
【０００４】
【特許文献１】特開２００５−２６０１０３号公報
【発明の概要】
【発明が解決しようとする課題】
【０００５】
特許文献１には、電子部品の端子とフレキシブル配線基板の端子の形状を工夫することでリーク電流をなくすことが開示されている。しかし、特許文献１で問題になっているのは、電気的に接続する領域でのリーク電流であるのに対して、本発明が解決しようとするのは、電子部品からはみ出した領域でのリーク電流であり、特許文献１の内容によっては解決することができない。
【０００６】
本発明は、異方性導電材料のはみ出した部分でリーク電流が発生することの防止を目的とする。
【課題を解決するための手段】
【０００７】
（１）本発明に係る電子装置は、入出力のための複数の有効端子を有する電子部品と、前記電子部品に接合されて引き出されるフレキシブル配線基板と、接着剤に導電粒子が分散されてなり、前記電子部品と前記フレキシブル配線基板を接合する異方性導電材料と、を有し、前記フレキシブル配線基板は、前記電子部品と重なる重複領域と、前記電子部品からはみ出して引き出される引出領域と、を含み、前記重複領域から前記引出領域に形成された配線パターンを有し、前記配線パターンは、均等な幅及び均等な間隔で、前記重複領域の範囲内に配列されて、それぞれがいずれかの前記有効端子と対向して前記導電粒子によって電気的に接続する複数の端子部と、隣同士の一対の前記端子部からなる少なくとも１組の前記端子部を除いて、その他の前記端子部に接続して前記重複領域から前記引出領域に引き出される引出部と、前記引出部が接続されないそれぞれの前記端子部を、その隣にあって前記引出部が接続される前記端子部に、前記重複領域の範囲内で接続する接続部と、を含み、隣同士の２つ以上の前記引出部からなる少なくとも１組の前記引出部は、前記引出領域で１つの配線に合流するように形成され、前記引出部が接続されない一対の前記端子部を挟む位置にある一対の前記端子部から引き出される一対の前記引出部の間隔は、その他の隣同士の前記引出部の間隔よりも広くなっており、前記異方性導電材料の一部は、前記電子部品と前記フレキシブル配線基板の間からはみ出して前記引出領域で前記配線パターンに載ることを特徴とする。本発明によれば、引出部が接続されない一対の端子部を挟むように、他の一対の端子部が位置して一対の引出部が引き出されている。この一対の引出部の間隔は、その他の隣同士の引出部の間隔よりも広くなっている。したがって、異方性導電材料の一部が引出領域で配線パターンに載っていても、間隔の広い一対の引出部の間では、リーク電流の発生を防止することができる。
【０００８】
（２）（１）に記載された電子装置において、前記引出部が接続されない隣同士の一対の前記端子部は、それぞれ、前記複数の有効端子のなかで最も電位差の大きい隣同士の前記有効端子に対向して電気的に接続することを特徴としてもよい。
【０００９】
（３）（１）又は（２）に記載された電子装置において、隣同士に位置して前記接続部で電気的に接続された、前記引出部が接続されない１つの前記端子部及び前記引出部が接続される１つの前記端子部は、同じ１つの前記有効端子に電気的に接続することを特徴としてもよい。
【００１０】
（４）（３）に記載された電子装置において、前記接続部は、該接続部によって接続される隣同士の前記端子部が電気的に接続する前記同じ１つの前記有効端子の領域内に配置されていることを特徴としてもよい。
【００１１】
（５）本発明に係る電子装置は、入出力のための複数の有効端子と、一対の前記有効端子の間に配置された前記入出力に使用しないダミー端子と、を有する電子部品と、前記電子部品に接合されて引き出されるフレキシブル配線基板と、接着剤に導電粒子が分散されてなり、前記電子部品と前記フレキシブル配線基板を接合する異方性導電材料と、を有し、前記フレキシブル配線基板は、前記電子部品と重なる重複領域と、前記電子部品からはみ出して引き出される引出領域と、を含み、前記重複領域から前記引出領域に形成された配線パターンを有し、前記配線パターンは、均等な幅及び均等な間隔で、前記重複領域の範囲内に配列されて、それぞれがいずれかの前記有効端子又は前記ダミー端子と対向して前記導電粒子によって電気的に接続する複数の端子部を含み、前記ダミー端子を挟む前記一対の前記有効端子は、隣同士の前記複数の有効端子のなかで最も電位差が大きく、前記異方性導電材料の一部は、前記電子部品と前記フレキシブル配線基板の間からはみ出して前記引出領域で前記配線パターンに載ることを特徴とする。本発明によれば、最も電位差が大きい一対の有効端子は、ダミー端子を挟むように配置されている。配線パターンの、有効端子及びダミー端子に電気的に接続される端子部は、均等な幅及び均等な間隔で配列されているので、ダミー端子を挟む一対の有効端子に接続する一対の端子部の間隔は、その他の端子部の間隔よりも広い。したがって、異方性導電材料の一部が引出領域で配線パターンに載っていても、間隔の広い一対の端子部の間では、リーク電流の発生を防止することができる。
【００１２】
（６）（５）に記載された電子装置において、前記配線パターンは、前記複数の端子部それぞれに接続して前記重複領域から前記引出領域に引き出される引出部を含むことを特徴としてもよい。
【００１３】
（７）（５）に記載された電子装置において、前記配線パターンは、少なくとも前記ダミー端子に電気的に接続する前記端子部を除いて、その他の前記端子部に接続して前記重複領域から前記引出領域に引き出される引出部を含むことを特徴としてもよい。
【００１４】
（８）（６）又は（７）に記載された電子装置において、いずれかの前記有効端子に電気的に接続した隣同士の２つ以上の前記引出部からなる少なくとも１組の前記引出部は、前記引出領域で１つの配線に合流するように形成されていることを特徴としてもよい。
【００１５】
（９）（１）から（８）のいずれか１項に記載された電子装置において、前記フレキシブル配線基板は、前記引出領域で前記配線パターンを覆う被覆層を有し、前記被覆層は、前記重複領域に隣接する領域で前記配線パターンの一部が露出するように形成され、前記異方性導電材料の前記一部は、前記引出領域で、前記配線パターンの前記被覆層から露出した前記部分に載ることを特徴としてもよい。
【００１６】
（１０）（１）から（９）のいずれか１項に記載された電子装置において、前記電子部品は、表示パネルであることを特徴としてもよい。
【図面の簡単な説明】
【００１７】
【図１】本発明の実施形態に係る液晶表示装置の概略を示す斜視図である。
【図２】液晶表示パネルの一部を拡大した断面図である。
【図３】液晶表示パネル及びフレキシブル配線基板の接合部を示す断面図である。
【図４】液晶表示パネル及びフレキシブル配線基板の接合部を示す別の断面図である。
【図５】液晶表示パネル及びフレキシブル配線基板の接合部を示す平面図である。
【図６】液晶表示パネル及びフレキシブル配線基板を分離して示す平面図である。
【図７】有効端子の変形例を示す図である。
【図８】引出部の変形例１を示す図である。
【図９】引出部の変形例２を示す図である。
【図１０】第２の実施形態に係る液晶表示パネル及びフレキシブル配線基板を分離して示す平面図である。
【図１１】第２の実施形態の変形例を示す図である。
【発明を実施するための形態】
【００１８】
以下、本発明の実施形態について図面を参照して説明する。以下の説明では、表示装置が本発明に係る電子装置の具体例になっており、表示装置の一例として液晶表示装置が説明されているが、それ以外の表示装置（例えばＥＬ（Electro Luminescence）表示装置）に本発明を適用することも可能である。
【００１９】
［第１の実施形態］
図１は、本発明の実施形態に係る液晶表示装置の概略を示す斜視図である。電子装置の一例である液晶表示装置は、電子部品の一例である液晶表示パネル１０を有する。液晶表示パネル１０は、表示パネルの具体例である。
【００２０】
図２は、液晶表示パネル１０の一部を拡大した断面図である。液晶表示パネル１０は、相互に重ねられた第１基板１２及び第２基板１４を含む。第１基板１２及び第２基板１４は、ガラスなどの光透過性基板からなり、両者間には液晶材料１６がシール材１７で封止されている。第１基板１２はカラーフィルタ基板であり、第２基板１４は、図示しない薄膜トランジスタ、画素電極及び配線などを含むＴＦＴ（Thin Film Transistor）基板（又はアレイ基板）である。第１基板１２及び第２基板１４にはそれぞれ偏光板１８が貼り付けられている。
【００２１】
図１に示すように、液晶表示装置は、液晶表示パネル１０に光を供給するバックライトユニット２０を有する。バックライトユニット２０は、液晶表示パネル１０が固定されるフレーム２２を含む。フレーム２２には、導光板２４、光源２６（例えば発光ダイオード）、導光板２４の上（液晶表示パネル１０側）に位置する図示しない光学シート（拡散シート及びプリズムシートなど）、導光板２４の下（光学シート群とは反対側）に位置する図示しない反射シートが収容されている。
【００２２】
第２基板１４の一辺が第１基板１２の一辺から突出する。第２基板１４の第１基板１２から突出した部分には、液晶材料１６を駆動するためのドライバ回路を内蔵する集積回路チップ２８が搭載され、フレキシブル配線基板３０が取り付けられている。フレキシブル配線基板３０は、フレーム２２の外側で屈曲して、フレーム２２の下側（液晶表示パネル１０とは反対側）に延びる。光源２６は、フレキシブル配線基板３０に搭載されており、導光板２４の端部に隣り合うように配置される。
【００２３】
図３及び図４は、それぞれ、液晶表示パネル１０及びフレキシブル配線基板３０の接合部を示す断面図である。なお、図３及び図４は、相互に直交する断面を示している。
【００２４】
液晶表示パネル１０は、入出力のための複数の有効端子３２を有する。入出力とは、信号の入出力のみならず、電流又は電圧の入出力を含み、接地のための接続も含む。有効端子３２は、液晶材料１６を駆動するための回路に電気的に接続されている。したがって、フローティング状態の端子は、有効端子３２ではない。また、それぞれの有効端子３２の電位は同じではあるとは限らず、隣同士の有効端子３２の電位差は均一ではない。つまり、少なくとも１組の隣り合う一対の有効端子３２の電位差が最も大きい。
【００２５】
フレキシブル配線基板３０は、液晶表示パネル１０に接合されて引き出されている。フレキシブル配線基板３０は、異方性導電材料３４（例えば異方性導電フィルム）によって液晶表示パネル１０と接合されている。異方性導電材料３４は、接着剤３６に導電粒子３８が分散されてなる。
【００２６】
図３に示すように、フレキシブル配線基板３０は、液晶表示パネル１０と重なる重複領域４０を含む。フレキシブル配線基板３０は、液晶表示パネル１０からはみ出して引き出される引出領域４２を含む。フレキシブル配線基板３０は、重複領域４０から引出領域４２に形成された配線パターン４４を有する。フレキシブル配線基板３０は、引出領域４２で配線パターン４４を覆う被覆層４６を有する。被覆層４６は、重複領域４０に隣接する領域で配線パターン４４の一部が露出するように形成されている。異方性導電材料３４は、液晶表示パネル１０とフレキシブル配線基板３０の間に介在して、導電粒子３８によって有効端子３２と配線パターン４４との電気的接続が図られている。異方性導電材料３４は、重複領域４０から引出領域４２にはみ出している。異方性導電材料３４の一部は、引出領域４２で、配線パターン４４の被覆層４６から露出した部分に載っている。
【００２７】
図５は、液晶表示パネル１０及びフレキシブル配線基板３０の接合部を示す平面図である。図６は、液晶表示パネル１０及びフレキシブル配線基板３０を分離して示す平面図である。液晶表示パネル１０及びフレキシブル配線基板３０には、それぞれ、位置決めマーク４８，５０が設けられており、位置を正確に合わせて接合されるようになっている。
【００２８】
図６に示すように、隣同士の一対の有効端子３２ａ，３２ａは１つの配線に合流するようになっている。言い換えると、１つの配線が二股に分岐して一対の有効端子３２ａ，３２ａに至るようになっている。配線からの分岐先の一対の有効端子３２ａ，３２ａは同じ電位である。一対の有効端子３２ａ，３２ａの隣にある一対の有効端子３２ｂ，３２ｂも、有効端子３２ａ，３２ａと同じ構成になっている。有効端子３２ａ，３２ｂは導通しないので電位が異なっている。電位の異なる隣同士の有効端子３２ａ，３２ｂは、隣同士の一対の配線から分岐して隣り合う。
【００２９】
図６に示すように、配線パターン４４は、複数の端子部５２を含む。複数の端子部５２は、均等な幅及び均等な間隔で、重複領域４０の範囲内に配列されている。複数の端子部５２は、図３及び図４に示すように、それぞれがいずれかの有効端子３２と対向して導電粒子３８によって電気的に接続する。
【００３０】
図５及び図６に示すように、配線パターン４４は、引出部５４を含む。引出部５４は、端子部５２に接続して重複領域４０から引出領域４２に引き出される。ただし、引出部５４は、隣同士の一対の端子部５２ａ，５２ｂからなる少なくとも１組の端子部５２には接続されない。引出部５４が接続されない隣同士の一対の端子部５２ａ，５２ｂは、それぞれ、複数の有効端子３２のなかで最も電位差の大きい隣同士の有効端子３２ａ，３２ｂに対向して電気的に接続している。引出部５４が接続されないそれぞれの端子部５２ａ，５２ｂは、その隣にあって引出部５４が接続される端子部５２ｘ，５２ｙに接続されている。この接続は、重複領域４０の範囲内で接続部５６によってなされている。
【００３１】
隣同士の２つ以上の引出部５４ａ，５４ａからなる少なくとも１組の引出部５４が、引出領域４２で１つの配線に合流するようになっている。１つの配線に合流する引出部５４ａ，５４ａにそれぞれ接続される端子部５２，５２は同電位になっている。ただし、引出部５４が接続されない端子部５２ａ又は５２ｂに接続部５６によって接続される引出部５４ｘ又は５４ｙは、他の引出部５４とは合流しないようになっている。
【００３２】
引出部５４が接続されない一対の端子部５２ａ，５２ｂを挟む位置にある一対の端子部５２ｘ，５２ｙから引き出される一対の引出部５４ｘ，５４ｙの間隔ｄは、その他の隣同士の引出部５４の間隔よりも広くなっている。図３に示すように、異方性導電材料３４の一部は、液晶表示パネル１０とフレキシブル配線基板３０の間からはみ出して引出領域４２で配線パターン４４に載る。
【００３３】
本実施形態によれば、引出部５４が接続されない一対の端子部５２ａ，５２ｂを挟むように、他の一対の端子部５２ｘ，５２ｙが位置して一対の引出部５４ｘ，５４ｙが引き出されている。この一対の引出部５４ｘ，５４ｙの間隔ｄは、その他の隣同士の引出部５４の間隔よりも広くなっている。したがって、異方性導電材料３４の一部が引出領域４２で配線パターン４４に載っていても、間隔の広い一対の引出部５４ｘ，５４ｙの間では、リーク電流の発生を防止することができる。
【００３４】
引出領域４２中の被覆層４６を除いた領域に異方性導電材料３４がはみ出た場合はこの異方性導電材料３４表面や内部を流れるリークが問題となり、そうでない場合（重複領域４０にある異方性導電材料３４）は端子部５２ａと端子部５２ｂの間のリークが問題にはならない。互いに大きな電位差となる引出部５４ｘや引出部５４ｙは重複領域４０領域にあるので近くても異方性導電材料３４を介したリークが問題にならず、引出領域４２領域では広い間隔ｄがあるので異方性導電材料３４を介したリークが十分に抑制される。引出部５４ｘや引出部５４ｙが重複領域４０領域にあり、接続部５６が重複領域４０領域にあるので二股形状による接続（有効端子３２ａの２つ、有効端子３２ｂの２つ）が可能となり、接続信頼性も確保しつつ、上述したリークも抑えられる。引出部５４ｘや引出部５４ｙや接続部５６が引出領域４２中の被覆層４６を除いた領域に位置した場合は、電気的接続の関係から端子部５２ａと端子部５２ｂとの間の異方性導電材料３４のリークパスにて引出部５４ｘと引出部５４ｙがリークしてしまう。そのために十分な距離が取られずリーク過多の問題が引き起こされる。よって引出部５４ｘや引出部５４ｙや接続部５６は重複領域内に配置されなければならない。
【００３５】
図７は、有効端子の変形例を示す図である。図７に示す有効端子１３２は、図６に示す一対の有効端子３２が一体化したものである。したがって、隣同士に位置して接続部１５６で電気的に接続された、引出部１５４が接続されない１つの端子部１５２ａ及び引出部１５４が接続される１つの端子部１５２ｘは、同じ１つの有効端子１３２に電気的に接続する。接続部１５６は、隣同士の端子部１５２ａ，１５２ｘが電気的に接続する同じ１つの有効端子１３２の領域内に配置されている。
【００３６】
図８は、引出部の変形例１を示す図である。この例では、隣同士の引出部２５４，２５４が、引出領域２４２で１つの配線に合流するようになっている。また、引出部２５４が接続されない端子部２５２ａに接続部２５６によって接続される引出部２５４ｘも、相互に合流する引出部２５４，２５４とさらに合流するようになっている。したがって、合流する３つの引出部２５４，２５４，２５４ｘがそれぞれ接続する３つの端子部２５２，２５２，２５２ｘと、引出部２５４が接続されない端子部２５２ａとの４つの端子部２５２が同電位になる。
【００３７】
図９は、引出部の変形例２を示す図である。この例は、図６の例と図８の組み合わせである。図６の例と同様に、引出部３５４ａ，３５４ａが合流することで２つの端子部３５２が同電位になっている。また、図８の例と同様に、３つの引出部３５４，３５４，３５４ｙが合流することで３つの端子部３５２，３５２，３５２ｙが同電位となり、引出部３５４が接続されない端子部３５２ｂが端子部３５２ｙに接続されて同電位となるので、合計して４つの端子部３５２，３５２，３５２ｙ，３５２ｂが同電位になっている。
【００３８】
［第２の実施形態］
図１０は、第２の実施形態に係る液晶表示パネル及びフレキシブル配線基板を分離して示す平面図である。
【００３９】
本実施形態では、液晶表示パネル４１０は、一対の有効端子４３２ｘ，４３２ｙの間に配置された入出力に使用しないダミー端子４５８を有する。ダミー端子４５８はフローティング状態となっている。配線パターン４４４の複数の端子部４５２は、それぞれがいずれかの有効端子４３２又はダミー端子４５８と対向して導電粒子によって電気的に接続する。ダミー端子４５８を挟む一対の有効端子４３２ｘ，４３２ｙは、隣同士の複数の有効端子４３２のなかで最も電位差が大きい。
【００４０】
配線パターン４４４は、引出部４５４を含む。引出部４５４は、複数の端子部４５２それぞれに接続して重複領域４４０から引出領域４４２に引き出される。いずれかの有効端子４３２に電気的に接続した隣同士の２つ以上の引出部４５４からなる少なくとも１組の引出部４５４は、引出領域４４２で１つの配線に合流するように形成されている。
【００４１】
本実施形態によれば、最も電位差が大きい一対の有効端子４３２ｘ，４３２ｙは、ダミー端子４５８を挟むように配置されている。配線パターン４４４の、有効端子４３２及びダミー端子４５８に電気的に接続される端子部４５２は、均等な幅及び均等な間隔で配列されているので、ダミー端子４５８を挟む一対の有効端子４３２ｘ，４３２ｙに接続する一対の端子部４５２ｘ，４５２ｙの間隔は、その他の端子部４５２の間隔よりも広い。したがって、異方性導電材料の一部が引出領域４４２で配線パターン４４４に載っていても、間隔の広い一対の端子部４５２ｘ，４５２ｙの間では、リーク電流の発生を防止することができる。なお、本実施形態には、上記点を除き、第１の実施形態で説明した内容が適用される。
【００４２】
ダミー端子４５８やダミー端子４５８に接続される端子部４５２ａがあることにより、均等なピッチにて配線パターン４４４や有効端子４３２を配置することができる。さらに上述したようにリーク電流も防ぐことができる。
【００４３】
図１１は、第２の実施形態の変形例を示す図である。この例では、配線パターン５４４は、引出部５５４を含む。引出部５５４は、端子部５５２に接続して重複領域５４０から引出領域５４２に引き出される。ただし、引出部５５４は、少なくともダミー端子に電気的に接続する端子部５５２ａには接続されない。その他の内容は、上記第２の実施形態で説明した内容が該当する。
【００４４】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４５】
１０  液晶表示パネル、１２  第１基板、１４  第２基板、１６  液晶材料、１７  シール材、１８  偏光板、２０  バックライトユニット、２２  フレーム、２４  導光板、２６  光源、２８  集積回路チップ、３０  フレキシブル配線基板、３２  有効端子、３２ａ  有効端子、３２ｂ  有効端子、３４  異方性導電材料、３６  接着剤、３８  導電粒子、４０  重複領域、４２  引出領域、４４  配線パターン、４６  被覆層、４８  位置合わせマーク、５０  位置合わせマーク、５２  端子部、５２ａ  端子部、５２ｂ  端子部、５２ｘ  端子部、５２ｙ  端子部、５４  引出部、５４ａ  引出部、５４ｘ  引出部、５４ｙ  引出部、５６  接続部、１３２  有効端子、１５２ａ  端子部、１５２ｘ  端子部、１５４  引出部、１５６  接続部、２４２  引出領域、２５２  端子部、２５２ａ  端子部、２５２ｘ  端子部、２５４  引出部、２５４ｘ  引出部、２５６  接続部、３５２  端子部、３５２ｂ  端子部、３５２ｙ  端子部、３５４  引出部、３５４ａ  引出部、３５４ｙ  引出部、４１０  液晶表示パネル、４３２  有効端子、４３２ｘ  有効端子、４３２ｙ  有効端子、４４０  重複領域、４４２  引出領域、４４４  配線パターン、４５２  端子部、４５２ｘ  端子部、４５２ｙ  端子部、４５４  引出部、４５８  ダミー端子、５４０  重複領域、５４２  引出領域、５４４  配線パターン、５５２  端子部、５５２ａ  端子部、５５４  引出部。
【図１】
2015075559.tif 000003
【図２】
2015075559.tif 000004
【図３】
2015075559.tif 000005
【図４】
2015075559.tif 000006
【図５】
2015075559.tif 000007
【図６】
2015075559.tif 000008
【図７】
2015075559.tif 000009
【図８】
2015075559.tif 000010
【図９】
2015075559.tif 000011
【図１０】
2015075559.tif 000012
【図１１】
2015075559.tif 000013